(57)【要約】【課題】ＬＥＤ灯管の放熱速度を加速させて良好な放熱効果を有する保護カバーおよびそれを備えるＬＥＤ灯管を提供する。【解決手段】複数の放熱孔１１１を設けている管体１１と、管体１１内部に設けられている回路板１２と、回路板１２上に満遍なく配置され、回路板１２に電気的に接続されている複数のＬＥＤランプ１３と、管体１１の両方の端部にそれぞれ嵌挿され、回路板１２に電気的に接続されている２つの電源アダプタ１４と、管体１１上に配置され、放熱孔１１１に対応するように設けられている複数の穿孔２１１が設けられている板体２１を有する保護カバー２０と、を備える。【選択図】図１
2010027212.tif 000002
【特許請求の範囲】
【請求項１】
複数の放熱孔を設けている管体と、
前記管体内部に設けられている回路板と、
前記回路板上に満遍なく配置され、前記回路板に電気的に接続されている複数のＬＥＤランプと、
前記管体の両方の端部にそれぞれ嵌挿され、前記回路板に電気的に接続されている２つの電源アダプタと、
前記管体上に配置され、前記放熱孔に対応するように設けられている複数の穿孔が設けられている板体を有する保護カバーと、を備えることを特徴とする保護カバーを備えるＬＥＤ灯管。
【請求項２】
前記複数のＬＥＤランプは、間隔を空けて配置され、前記放熱孔も間隔を空けて配置されていることを特徴とする請求項１に記載の保護カバーを備えるＬＥＤ灯管。
【請求項３】
前記板体は、円弧状で弾性を有することを特徴とする請求項１に記載の保護カバーを備えるＬＥＤ灯管。
【請求項４】
前記板体は、両方の端部に前記管体を弾性を持って挟み込む支持片がそれぞれ延伸していることを特徴とする請求項１に記載の保護カバーを備えるＬＥＤ灯管。
【請求項５】
前記支持片は、内部に一体成型された嵌合部をそれぞれ有し、前記嵌合部に対応して嵌合固定する複数の嵌合溝が管体の周壁に一体成型されていることを特徴とする請求項４に記載の保護カバーを備えるＬＥＤ灯管。
【請求項６】
前記穿孔は、直径が前記放熱孔の直径より小さいことを特徴とする請求項１に記載の保護カバーを備えるＬＥＤ灯管。
【請求項７】
前記穿孔は、断面が円錐状を呈していることを特徴とする請求項１に記載の保護カバーを備えるＬＥＤ灯管。
【請求項８】
複数の放熱孔を設けている管体を有するＬＥＤ灯管上に配置され、放熱孔に対応するように設けられている複数の穿孔を有する板体を備えることを特徴とするＬＥＤ灯管の保護カバー。
【請求項９】
前記板体は、円弧状で弾性を有することを特徴とする請求項８に記載のＬＥＤ灯管の保護カバー。
【請求項１０】
前記板体は、両方の端部に前記管体を弾性を持って挟み込む支持片がそれぞれ延伸していることを特徴とする請求項８に記載のＬＥＤ灯管の護カバー。
【請求項１１】
前記支持片は、内部に一体成型された嵌合部をそれぞれ有し、前記嵌合部に対応して嵌合固定する複数の嵌合溝が管体の周壁に一体成型されていることを特徴とする請求項１０に記載のＬＥＤ灯管の保護カバー。
【請求項１２】
前記穿孔は、直径が前記放熱孔の直径より小さいことを特徴とする請求項８に記載のＬＥＤ灯管の護カバー。
【請求項１３】
前記穿孔は、断面が円錐状を呈していることを特徴とする請求項８に記載のＬＥＤ灯管の保護カバー。
【発明の詳細な説明】
【技術分野】
【０００１】
本発明は、ＬＥＤ灯管に関し、特に、ＬＥＤ灯管の保護カバーおよびそれを備えるＬＥＤ灯管に関する。
【背景技術】
【０００２】
テクノロジーの絶え間ない進歩にともない、電子製品および電子デバイスは、軽薄短小の傾向をさらに強めている。電子デバイスであるＬＥＤは、小型化、節電、長寿命、環境保護などの長所を有するため、次第に照明器具に用いられるようになった。ＬＥＤは、その初期において、輝度不足という問題を有したが、近年における材料および技術上の進歩により、ＬＥＤの発光効率は、大幅に改善され、従来の照明器具の輝度に匹敵するようになり、次第に従来の照明器具に代りつつあるのである。
【０００３】
従来のＬＥＤ灯管は、管体、回路板、複数のＬＥＤランプ、および電源アダプタを含んでいた。管体は、透明で、回路板および複数のＬＥＤランプは、管体内に配置されていた。電源アダプタは、管体の両方の端部に嵌挿され、回路板に電気的に接続されていた。管体には、複数の放熱孔が設けられ、放熱孔は、断面が四角形を呈し、回路板の上部に設けられていた。回路板の下部には、電気的に接続されたＬＥＤランプが満遍なく配置されていた。
【０００４】
従来のＬＥＤ灯管は、以下のような欠点を有していた。ＬＥＤ灯管内部で発生した熱気体は、放熱孔を介して外部に放出されていたが、熱気体が放熱孔を通過する過程において、加速作用を起こすことができないため、放熱効果に限度があった。また、小さな昆虫が放熱孔から管体内に直接進入し、回路板上に残留して美観に悪影響を与えるばかりか、実用性および寿命を下げてしまうことがあった。以上の欠点を改善するため、本発明は、ＬＥＤ灯管の保護カバーおよびそれを備えるＬＥＤ灯管を提供する。
【特許文献１】特開２００７−２５７９２８号公報
【発明の開示】
【発明が解決しようとする課題】
【０００５】
本発明の第１の目的は、ＬＥＤ灯管の放熱速度を加速させて良好な放熱効果を有する保護カバーおよびそれを備えるＬＥＤ灯管を提供することにある。
本発明の第２の目的は、小さな昆虫が放熱孔から管体内に直接進入し、回路板上に残留して美観に悪影響を与えたり、実用性および寿命を下げてしまうのを防ぐ保護カバーおよびそれを備えるＬＥＤ灯管を提供することにある。
本発明の第３の目的は、迅速で簡単に組立を行なうことができ、組立作業に要する時間を節約するＬＥＤ灯管の保護カバーを備えるＬＥＤ灯管を提供することにある。
【課題を解決するための手段】
【０００６】
上述の課題を解決するために、本発明は、ＬＥＤ灯管の保護カバーおよびそれを備えるＬＥＤ灯管である。本発明の保護カバーを備えるＬＥＤ灯管は、複数の放熱孔を設けている管体と、管体内部に設けられている回路板と、回路板上に満遍なく配置され、回路板に電気的に接続されている複数のＬＥＤランプと、管体の両方の端部にそれぞれ嵌挿され、回路板に電気的に接続されている２つの電源アダプタと、管体上に配置され、放熱孔に対応するように複数の穿孔が設けられている板体を有する保護カバーと、を備える。本発明の保護カバーは、複数の放熱孔を設けている管体を有するＬＥＤ灯管上に配置され、放熱孔に対応するように設けられている複数の穿孔を有する板体を備える。
【０００７】
すなわち、請求項１の発明は、複数の放熱孔を設けている管体と、前記管体内部に設けられている回路板と、前記回路板上に満遍なく配置され、前記回路板に電気的に接続されている複数のＬＥＤランプと、前記管体の両方の端部にそれぞれ嵌挿され、前記回路板に電気的に接続されている２つの電源アダプタと、前記管体上に配置され、前記放熱孔に対応するように複数の穿孔が設けられている板体を有する保護カバーと、を備えることを特徴とする保護カバーを備えるＬＥＤ灯管である。
請求項２の発明は、前記複数のＬＥＤランプが、間隔を空けて配置され、前記放熱孔も間隔を空けて配置されていることを特徴とする請求項１に記載の保護カバーを備えるＬＥＤ灯管である。
請求項３の発明は、前記板体が、円弧状で弾性を有することを特徴とする請求項１に記載の保護カバーを備えるＬＥＤ灯管である。
請求項４の発明は、前記板体は、両方の端部に前記管体を弾性を持って挟み込む支持片がそれぞれ延伸していることを特徴とする請求項１に記載の保護カバーを備えるＬＥＤ灯管である。
請求項５の発明は、前記支持片が、内部に一体成型された嵌合部をそれぞれ有し、前記嵌合部に対応して嵌合固定する複数の嵌合溝が管体の周壁に一体成型されていることを特徴とする請求項４に記載の保護カバーを備えるＬＥＤ灯管である。
請求項６の発明は、前記穿孔の直径が前記放熱孔の直径より小さいことを特徴とする請求項１に記載の保護カバーを備えるＬＥＤ灯管。
請求項７の発明は、前記穿孔が、断面が円錐状を呈していることを特徴とする請求項１に記載の保護カバーを備えるＬＥＤ灯管である。
【０００８】
請求項８の発明は、複数の放熱孔を設けている管体を有するＬＥＤ灯管上に配置され、放熱孔に対応するように設けられている複数の穿孔を有する板体を備えることを特徴とするＬＥＤ灯管の保護カバーである
請求項９の発明は、前記板体が、円弧状で弾性を有することを特徴とする請求項８に記載のＬＥＤ灯管の保護カバーである。
請求項１０の発明は、前記板体が、両方の端部に前記管体を弾性を持って挟み込む支持片がそれぞれ延伸していることを特徴とする請求項８に記載のＬＥＤ灯管の護カバーである。
請求項１１の発明は、前記支持片が、内部に一体成型された嵌合部をそれぞれ有し、前記嵌合部に対応して嵌合固定する複数の嵌合溝が管体の周壁に一体成型されていることを特徴とする請求項１０に記載のＬＥＤ灯管の保護カバーである。
請求項１２の発明は、前記穿孔の直径が前記放熱孔の直径より小さいことを特徴とする請求項８に記載のＬＥＤ灯管の護カバーである。
請求項１３の発明は、前記穿孔が断面が円錐状を呈していることを特徴とする請求項８に記載のＬＥＤ灯管の保護カバーである。
【発明の効果】
【０００９】
本発明の保護カバーおよびそれを備えるＬＥＤ灯管は、穿孔が放熱孔に対応するように調節されると、迅速で簡単に組立が行なわれ、組立作業に要する時間を節約することができる。穿孔の直径が放熱孔の直径より小さいため、熱気体が放熱孔および穿孔を通過する過程において、加速作用が起こり、ＬＥＤ灯管の放熱速度が向上し、良好な放熱効果を得ることができる。また、穿孔の直径が小さな昆虫より小さいため、蚊などの小さな昆虫が放熱孔から管体内に直接進入し、回路板上に残留して美観に悪影響を与え、実用性および寿命を下げるの防ぐことができる。  
【発明を実施するための最良の形態】
【００１０】
以下、本発明の第一の実施形態を図面に基づいて説明する。図１は、本発明の第１の実施形態による保護カバーを備えるＬＥＤ灯管を示す分解斜視図である。図２は、本発明の第１の実施形態による保護カバを備えるＬＥＤ灯管を示す斜視図である。図３は、図２の断面図である。図１〜図３に示すように、本発明の第１の実施形態による保護カバーを備えるＬＥＤ灯管は、ＬＥＤ灯管１０、管体１１、回路板１２、複数のＬＥＤランプ１３、２つの電源アダプタ１４および保護カバー２０を含む。
【００１１】
前記管体１１は、透光性が好適であるアクリルからなり、薄くて透明である。管体１１は、間隔を空けて配列される複数の放熱孔１１１を設けている。
前記回路板１２は、管体１１内部に設けられている。
【００１２】
前記複数のＬＥＤランプ１３は、回路板１２上に間隔を空けて満遍なく配置され、回路板１２に電気的に接続されている。ＬＥＤランプ１３は、白色ＬＥＤ、黄色ＬＥＤ、赤色ＬＥＤまたは青色ＬＥＤでもよく、これらに限定されるものではない。
【００１３】
前記２つの電源アダプタ１４は、管体１１の両方の端部にそれぞれ嵌挿され、回路板１２に電気的に接続されている。
【００１４】
前記保護カバー２０は、ＬＥＤ灯管１０上に配置されている。保護カバー２０は、複数の穿孔２１１が設けられている円弧状の板体２１を有する。穿孔２１１は、放熱孔１１１に対応するように設けられている。板体２１は、両方の端部に支持片２２がそれぞれ延伸し、支持片２２との間に収納部２３を形成して管体１１を収納部２３の内部に収納する。このとき、支持片２２が弾性を持って挟み込む。穿孔２１１の直径は、放熱孔１１１の直径より小さい。穿孔２１１の直径は、0.3ｍｍで、放熱孔１１１の直径は、0.5ｍｍであるのが望ましい。また、支持片２２は、管体１１を弾性を持って挟み込む以外に、長めの板体２１として、支持片２２を電源アダプタ１４上に挟み込ませることもできる。
【００１５】
図２および図３に示すように、板体２１の収納部２３を管体１１に対応させて、板体２１を押し込むと、管体１１が収納部２３内に嵌合され、支持片２２により弾性を持って挟み込まれる。穿孔２１１を放熱孔１１１に対応させるように調節すると、組立作業が完了する。このように、本発明の保護カバーを備えるＬＥＤ灯管は、迅速で簡単に組立を行なうことができ、組立作業に要する時間を節約する効果が得られる。
【００１６】
図４は、保護カバーを備えるＬＥＤ灯管の使用状態を示す側面図である。図５は、保護カバーを備えるＬＥＤ灯管の使用状態を示す断面図である。
図４および図５に示すように、本発明の実施例の保護カバーを備えるＬＥＤ灯管が天井３０の灯座４０内に固着されている。灯座４０は、ランプシェード４１、およびランプシェード４１内に配置されて電源に電気的に接続する電源接続座４２を含む。まず、２つの電源アダプタ１４が電源接続座４２内にそれぞれ嵌挿されると、ＬＥＤランプ１３が熱エネルギーおよび光線を発生して照射する。本発明の実施例の保護カバーを備えるＬＥＤ灯管は、使用過程において、発生する熱気体が放熱孔１１１および穿孔２１１を介して外部に放出される。穿孔２１１の直径は、放熱孔１１１の直径より小さいため、熱気体が放熱孔１１１および穿孔２１１を通過する過程において、加速作用が起こる。そのため、ＬＥＤ灯管１０の放熱速度が向上し、良好な放熱効果が得られる。
【００１７】
保護カバー２０の穿孔２１１の直径は、小さな昆虫より小さいため、蚊などの小さな昆虫が放熱孔１１１から管体１１内に直接進入し、回路板１２上に残留して美観（管体１１は、透明である）に悪影響を与え、実用性および寿命を下げるのを防ぐことができる。このように、本発明の保護カバー２０は、ＬＥＤ灯管１０の美観を維持する以外に、寿命を向上させる効果が得られる。
【００１８】
図６は、本発明の第２の実施形態による保護カバーを備えるＬＥＤ灯管を示す断面図である。図６に示すように、実施形態が第１の実施形態と異なるのは、支持片２２の内部に一体成型された嵌合部２２１をそれぞれ有することである。管体１１の周壁に一体成型された複数の嵌合溝１１２が設けられている。嵌合溝１１２は、嵌合部２２１に対応して嵌合固定される。そのため、保護カバー２０が迅速に管体１１上に装着され、穿孔２１１を放熱孔１１１に対応させるのに要する無駄な時間を節約することができ、第１の実施形態と同様の効果が得られる。
【００１９】
図７は、本発明の第３の実施形態による保護カバーを備えるＬＥＤ灯管を示す断面図である。図７に示すように、実施形態が第１の実施形態と異なるのは、穿孔２１１´の断面が円錐状を呈していることである。熱気体が放熱孔１１１および穿孔２１１´を通過する過程において、加速作用が起こり、第１の実施形態と同様の効果を有する。
【００２０】
本発明では好適な実施形態を前述の通りに開示したが、これらは決して本発明を限定するものではなく、当該技術を熟知する者は誰でも、本発明の精神と領域を脱しない範囲内で各種の変更や修正を加えることができる。従って、本発明の保護の範囲は特許請求の範囲の均等の範囲内である。
【図面の簡単な説明】
【００２１】
【図１】本発明の第１の実施形態による保護カバーを備えるＬＥＤ灯管を示す分解斜視図である。
【図２】本発明の第１の実施形態による保護カバーを備えるＬＥＤ灯管を示す斜視図である。
【図３】図２の断面図である。
【図４】保護カバーを備えるＬＥＤ灯管の使用状態を示す側面図である。
【図５】保護カバーを備えるＬＥＤ灯管の使用状態を示す断面図である。
【図６】本発明の第２の実施形態による保護カバーを備えるＬＥＤ灯管を示す断面図である。
【図７】本発明の第３の実施形態による保護カバーを備えるＬＥＤ灯管を示す断面図である。
【符号の説明】
【００２２】
１０  ＬＥＤ灯管
１１  管体
１２  回路板
１３  ＬＥＤランプ
１４  電源アダプタ
２０  保護カバー
２１  板体
２２  支持片
２３  収納部
３０  天井
４０  灯座
４１  ランプシェード
４２  電源接続座
１１１  放熱孔
１１２  嵌合溝
２１１  穿孔
２１１´  穿孔
２２１  嵌合部
【図１】
2010027212.tif 000003
【図２】
2010027212.tif 000004
【図３】
2010027212.tif 000005
【図４】
2010027212.tif 000006
【図５】
2010027212.tif 000007
【図６】
2010027212.tif 000008
【図７】
2010027212.tif 000009